(57)【要約】【課題】本発明は、簡単な構成により荷重を支持することができるエレベータのかごを得ることを目的とするものである。【解決手段】かご室支持枠１の下部には、下梁６が設けられている。下梁６は、かご室支持枠１の第１及び第２の角部１ａ，１ｂを結ぶ対角線と交差するように配置されている。第１及び第２の角部１ａ，１ｂの近傍には、一対の縦柱８，９が立設されている。斜め部材１５は、第３及び第４の角部１ｃ，１ｄ間を結ぶように下梁６上に設けられている。斜め部材１５の中間部（下梁６との交差部）は、下梁６に結合されている。【選択図】図１
2008285282.tif 000002
【特許請求の範囲】
【請求項１】
対角に位置する第１及び第２の角部と、上記第１及び第２の角部とは異なる対角に位置する第３及び第４の角部とを有する方形のかご室支持枠、
上記第１及び第２の角部の近傍間を結ぶように上記かご室支持枠の下部に設けられ、両端部が上記かご室支持枠に結合されている下梁、
上記第１及び第２の角部の近傍に立設された一対の縦柱、
上記縦柱の上部間に設けられた上梁、
上記第３及び第４の角部間を結ぶように上記下梁上に設けられ、両端部が上記かご室支持枠に結合されているとともに中間部が上記下梁に結合されている斜め部材、及び
上記かご室支持枠上に支持されているかご室
を備えていることを特徴とするエレベータのかご。
【請求項２】
上記かご室支持枠上に設けられ、上記かご室を支持する方形のかご床、及び
上記かご室支持枠と上記かご床との間に設けられている防振装置
をさらに備えていることを特徴とする請求項１記載のエレベータのかご。
【請求項３】
上記防振装置は、上記第１〜第４の角部に配置された複数の防振部材を含むことを特徴とする請求項２記載のエレベータのかご。
【発明の詳細な説明】
【技術分野】
【０００１】
この発明は、かご枠の一対の縦柱がかご室の前後方向にずらして配置されているエレベータのかごに関するものである。
【背景技術】
【０００２】
従来のエレベータでは、方形の下枠と、下枠の四隅にそれぞれ立設されている４本の縦枠と、縦枠の上部に固定された方形の上枠と、下枠、縦枠及び上枠にそれぞれ斜めに固定された複数の筋交い部材とを有するかご枠が用いられている。また、４本の縦枠のうち、対角に配置された２本の縦枠の上下にそれぞれガイドシューが固定されている（例えば、特許文献１参照）。
【０００３】
【特許文献１】特開２００４−３５２３７７号公報
【発明の開示】
【発明が解決しようとする課題】
【０００４】
上記のような従来のエレベータにおいては、かご枠が直方体状に構成され、かつ複数の筋交い部材を必要とするため、構成が複雑になってしまう。
【０００５】
この発明は、上記のような課題を解決するためになされたものであり、簡単な構成により荷重を支持することができるエレベータのかごを得ることを目的とする。
【課題を解決するための手段】
【０００６】
この発明に係るエレベータのかごは、対角に位置する第１及び第２の角部と、第１及び第２の角部とは異なる対角に位置する第３及び第４の角部とを有する方形のかご室支持枠、第１及び第２の角部の近傍間を結ぶようにかご室支持枠の下部に設けられ、両端部がかご室支持枠に結合されている下梁、第１及び第２の角部の近傍に立設された一対の縦柱、縦柱の上部間に設けられた上梁、第３及び第４の角部間を結ぶように下梁上に設けられ、両端部がかご室支持枠に結合されているとともに中間部が下梁に結合されている斜め部材、及びかご室支持枠上に支持されているかご室を備えている。
【発明の効果】
【０００７】
この発明のエレベータのかごは、第１及び第２の角部の近傍間を結ぶようにかご室支持枠の下部に設けられた下梁の両端部がかご室支持枠に結合され、第３及び第４の角部間を結ぶように下梁上に設けられた斜め部材の中間部が下梁に結合され、斜め部材の両端部がかご室支持枠に結合されているので、かご室支持枠及び下梁の曲げ剛性により荷重を安定して支持することができ、しかも構成を簡素化することができる。
【発明を実施するための最良の形態】
【０００８】
以下、この発明を実施するための最良の形態について、図面を参照して説明する。
実施の形態１．
図１はこの発明の実施の形態１によるエレベータのかごを斜め下方から見た斜視図、図２は図１のかごを示す底面図、図３は図２のＩＩＩ−ＩＩＩ線に沿う断面図、図４は図２のＩＶ−ＩＶ線に沿う断面図である。
【０００９】
図において、方形（矩形）のかご室支持枠１は、第１〜第４の支持枠部材２〜５をロ字形に組み合わせて構成されている。即ち、第１〜第４の支持枠部材２〜５は、かご室支持枠１の４辺を構成している。支持枠部材２〜５の端部同士は、溶接等により強固に結合されている。また、かご室支持枠１は、対角に位置する第１及び第２の角部１ａ，１ｂと、第１及び第２の角部１ａ，１ｂとは異なる対角に位置する第３及び第４の角部１ｃ，１ｄとを有している。
【００１０】
かご室支持枠１の下部には、断面ハット形の下梁（下枠）６が設けられている。下梁６は、第１及び第２の角部１ａ，１ｂの近傍間を結ぶようにかご室支持枠１の下部に設けられている。また、下梁６は、第１及び第２の角部１ａ，１ｂを結ぶ対角線と交差するように配置されている。さらに、下梁６の両端部は、ボルト・ナット等の複数組の締結具７を用いて、かご室支持枠１の下部に結合されている。
【００１１】
第１及び第２の角部１ａ，１ｂの近傍には、一対の縦柱（縦枠）８，９が立設されている。各縦柱８，９の下端部は、下梁６の長手方向両端部に固定された下部目板１０に、ボルト・ナット等の複数組の締結具１１を用いて結合されている。
【００１２】
縦柱８，９の上部間には、上梁（上枠）１２が架設されている。上梁１２の長手方向両端部には、上部目板１３が固定されている。上部目板１３は、ボルト・ナット等の複数組の締結具１４を用いて、縦柱８，９の上端部に結合されている。下梁６、縦柱８，９及び上梁１２により、ロ字形の枠が構成されている。また、この例では、かごは、上梁１２で懸架手段により吊り下げられる。また、懸架手段としては、例えばロープ又はベルトが用いられる。
【００１３】
かご室支持枠１の内側には、下梁６と交差する斜め部材１５が設けられている。斜め部材１５は、第３及び第４の角部１ｃ，１ｄ間を結ぶように下梁６上に設けられている。また、斜め部材１５の両端部は、溶接等によりかご室支持枠１に強固に結合されている。さらに、斜め部材１５の中間部（下梁６との交差部）は、ボルト・ナット等の複数組の締結具１６を用いて、下梁６に結合されている。
【００１４】
かご室支持枠１上には、かご室支持枠１と同サイズの方形のかご床１７が設けられている。かご室支持枠１とかご床１７との間には、防振装置１８が設けられている。防振装置１８は、第１〜第４の角部１ａ〜１ｄ上に配置された複数（ここでは４個）の防振部材１９を含んでいる。防振部材１９としては、例えば防振ゴムが用いられている。
【００１５】
かご床１７上には、かご室２０が支持されている。即ち、かご室２０は、かご床１７及び防振部材１９を介してかご室支持枠１上に支持されている。かご室２０は、かご出入口が設けられた前面と、前面に対向する背面と、互いに対向する第１及び第２の側面と、天井面とを有している。
【００１６】
縦柱８は、第１の側面に対向している。縦柱９は、第２の側面に対向している。縦柱８，９は、かご室２０の前後方向にずらして配置されている。上梁１２は、天井面の上方で、かご室２０の幅方向に対して斜めに、かつ下梁６と平行に配置されている。
【００１７】
下梁６の長手方向両端部の下部及び上梁１２の長手方向両端部の上部には、それぞれガイドシュー２１が取り付けられている。ガイドシュー２１は、昇降路内に設置された一対のかごガイドレール２２に係合し、かごの昇降を案内する。
【００１８】
このようなエレベータのかごでは、かご床１７にかかる負荷は、４個の防振部材１９に分配される。防振部材１９からの荷重は、かご室支持枠１により支持される。かご室支持枠１は、下梁６を介して縦柱８，９によって吊られている。
【００１９】
縦柱８，９に近い側の第１及び第２の角部１ａ，１ｂに配置された防振部材１９からの荷重は、縦柱８，９からの距離が近いため、縦柱８，９に直接伝達される。これに対して、縦柱８，９から遠い側の第３及び第４の角部１ｃ，１ｄに配置された防振部材１９からの荷重は、その一部が斜め部材１５及び下梁６を介して縦柱８，９に伝達され、残りが支持枠部材２，３を介して縦柱８，９に伝達される。そして、縦柱８，９に伝達された荷重は、上梁１２によって支持され、最終的に懸架手段によって懸架支持される。
【００２０】
上記のような荷重伝達経路において、防振部材１９の荷重は、支持枠部材２，３、斜め部材１５及び下梁６の曲げ剛性により支持されているため、各部材の断面を適当に選ぶことで、十分な剛性を持って防振部材１９からの荷重を安定して支持することができる。
【００２１】
また、かご枠の構成を簡素化することができ、かごの軽量化を図ることができるので、かご枠の材料費を低減できるとともに、懸架手段及び巻上機等の関連部材及び関連機器として標準仕様のものを使用することができ、エレベータ全体としての製造費を低減することができる。
【００２２】
さらに、かご床１７は、かご枠の強度・剛性に寄与させる必要がないため、かご床１７の下に防振装置１８を配置し、防振装置１８をかご室支持枠１により支持する二重構造を採用することができる。これにより、巻上機から懸架手段を介してかご枠に伝達される振動や、かごガイドレール２２の継ぎ目をガイドシュー２１が通過するときの振動が、かご床１７に直接伝達されるのが防止され、乗り心地を向上させることができる。
【００２３】
実施の形態２．
次に、図５はこの発明の実施の形態２によるエレベータのかごを斜め下方から見た斜視図である。実施の形態１では、縦柱８，９の下端部を下梁６の両端部に固定したが、実施の形態２では、かご室支持枠１の支持枠部材２，３の側面に縦柱８，９の下端部が固定されている。即ち、各縦柱８，９の下端部は、支持枠部材２，３の側面に固定された下部目板１０に、ボルト・ナット等の複数組の締結具１１を用いて結合されている。他の構成は、実施の形態１と同様である。
【００２４】
このようなエレベータのかごでは、斜め部材１５を介して下梁６に伝達される荷重は、締結具７の軸力によって支持されることになるが、締結具７が負担する荷重は床面荷重の一部のみであるため、締結具７による支持が十分可能である。このため、実施の形態２のような構成によっても、実施の形態１と同様の効果を得ることができる。
【００２５】
なお、上記の例では、かご室支持枠１の上に防振装置１８を介してかご床１７を載せたが、防振装置１８を省略し、かご室支持枠１をかご床として用いることもできる。
また、上記の例では、かご荷重が上梁１２から懸架手段に伝達される構成（いわゆる上吊り式）としたが、下梁６から懸架手段に伝達される構成（いわゆる下吊り式）であってもよい。
【図面の簡単な説明】
【００２６】
【図１】この発明の実施の形態１によるエレベータのかごを斜め下方から見た斜視図である。
【図２】図１のかごを示す底面図である。
【図３】図２のＩＩＩ−ＩＩＩ線に沿う断面図である。
【図４】図２のＩＶ−ＩＶ線に沿う断面図である。
【図５】この発明の実施の形態２によるエレベータのかごを斜め下方から見た斜視図である。
【符号の説明】
【００２７】
１  かご室支持枠、１ａ  第１の角部、１ｂ  第２の角部、１ｃ  第３の角部、１ｄ  第４の角部、６  下梁、８，９  縦柱、１２  上梁、１５  斜め部材、１７  かご床、１８  防振装置、１９  防振部材、２０  かご室。
【図１】
2008285282.tif 000003
【図２】
2008285282.tif 000004
【図３】
2008285282.tif 000005
【図４】
2008285282.tif 000006
【図５】
2008285282.tif 000007